(57)【要約】【課題】入浴前の操作の手間を減らすことができる加湿空調システムを提供する。【解決手段】加湿空調システム１Ａは、浴槽１０１を有した浴室１００の加湿暖房を行う加湿暖房機２と、台所１１０に設置され、給湯機３で浴槽１０１に給湯して湯張りを行う運転が選択される第１の給湯機操作部４ａとを備え、第１の給湯機操作部４ａで浴槽１０１に湯張りを行う運転が選択されると、加湿暖房機２で浴室１００の加湿暖房を行う運転が連動される。【選択図】        図１
2008224160.tif 000002
【特許請求の範囲】
【請求項１】
浴槽を有した第１室の加湿空調を行う加湿空調装置と、
前記第１室と異なる第２室に設置され、給湯装置で前記浴槽に給湯して湯張りを行う運転が選択される給湯機操作部とを備え、
前記給湯機操作部で前記浴槽に湯張りを行う運転が選択されると、前記加湿空調装置で前記第１室の加湿空調を行う運転を連動させる
ことを特徴とする加湿空調システム。
【請求項２】
前記第１室と隣接し、前記第２室と異なる第３室の空調を行う他室空調装置を備え、
前記給湯機操作部で前記浴槽に湯張りを行う運転が選択されると、前記他室空調装置で前記第３室の空調を行う運転を連動させる
ことを特徴とする請求項１記載の加湿空調システム。
【請求項３】
前記給湯機操作部で選択された前記浴槽に湯張りを行う運転と、前記加湿空調装置で前記第１室の加湿空調を行う運転を連動させるか非連動とするかが切り換えられる
ことを特徴とする請求項１記載の加湿空調システム。
【請求項４】
前記給湯機操作部で選択された前記浴槽に湯張りを行う運転と、前記他室空調装置で前記第３室の空調を行う運転を連動させるか非連動とするかが切り換えられる
ことを特徴とする請求項２または３記載の加湿空調システム。
【請求項５】
前記給湯機操作部で前記浴槽に湯張りを行う運転が選択されると、予め設定された連動遅延時間の有無に応じて前記加湿空調装置で前記第１室の加湿空調を行う運転を連動させる
ことを特徴とする請求項１または３記載の加湿空調システム。
【請求項６】
前記給湯機操作部で前記浴槽に湯張りを行う運転が選択されると、前記第１室の温度が検出され、前記第１室の温度に応じて求められる前記第１室の加湿空調に要する時間と前記浴槽の湯張りに要する時間の差から連動遅延時間が設定され、連動遅延時間の有無に応じて前記加湿空調装置で前記第１室の加湿空調を行う運転を連動させる
ことを特徴とする請求項１または３記載の加湿空調システム。
【請求項７】
前記給湯機操作部で前記浴槽に湯張りを行う運転が選択されると、予め設定された連動遅延時間の有無に応じて前記他室空調装置で前記第３室の空調を行う運転を連動させる
ことを特徴とする請求項２、４または５記載の加湿空調システム。
【請求項８】
前記給湯機操作部で前記浴槽に湯張りを行う運転が選択されると、前記第３室の温度が検出され、前記第３室の温度に応じて求められる前記第３室の空調に要する時間と前記浴槽の湯張りに要する時間の差から連動遅延時間が設定され、連動遅延時間の有無に応じて前記他室空調装置で前記第３室の空調を行う運転を連動させる
ことを特徴とする請求項２，４または６記載の加湿空調システム。
【発明の詳細な説明】
【技術分野】
【０００１】
本発明は、浴槽を有した浴室の加湿を行う加湿空調システムに関する。
【背景技術】
【０００２】
従来、浴室の暖房等を行う換気乾燥暖房機と、換気乾燥暖房機の温風と混合される蒸気を発生させる蒸気発生装置を備え、換気乾燥暖房機と蒸気発生装置の連動で浴室の加湿を行うミストサウナ装置が提案されている（例えば、特許文献１参照）。
【０００３】
このようなミストサウナ装置では、浴室に隣接した洗面脱衣所に操作部が備えられ、入浴者は、洗面脱衣所に行って操作部で所定の操作を行い、浴室を加湿暖房する運転を選択していた。
【０００４】
【特許文献１】実用新案登録第２５８９１２８号公報
【発明の開示】
【発明が解決しようとする課題】
【０００５】
しかし、冬季に浴室の加湿暖房を行う際には、入浴時に浴室内が入浴に適した温度及び湿度となるようにするため、ユーザは入浴を開始する２０〜３０分位前に洗面脱衣所や浴室に行き、予め所定の操作をして予熱する必要があり、操作が面倒であった。
【０００６】
また、近年は浴室に隣接した洗面脱衣所にも暖房機が備えられている構成があるが、入室時に寒さを感じないようにするためには同様に予熱する必要があり、ユーザは入浴前に一度浴室まで行き、更に別の操作が必要となって面倒であった。
【０００７】
本発明は、このような課題を解決するためになされたもので、入浴前の操作の手間を減らすことができる加湿空調システムを提供することを目的とする。
【課題を解決するための手段】
【０００８】
上述した課題を解決するため、本発明の加湿空調システムは、浴槽を有した第１室の加湿空調を行う加湿空調装置と、第１室と異なる第２室に設置され、給湯装置で浴槽に給湯して湯張りを行う運転が選択される給湯機操作部とを備え、給湯機操作部で浴槽に湯張りを行う運転が選択されると、加湿空調装置で第１室の加湿空調を行う運転を連動させることを特徴とする。
【０００９】
本発明の加湿空調システムでは、加湿空調装置と給湯装置で通信が行われ、給湯機操作部の操作で浴槽の湯張りが開始されると、浴槽を有した第１室、例えば浴室の加湿空調が開始される。
【００１０】
給湯機操作部は浴室と異なる第２室、例えば台所に設置されており、入浴前に浴室に行くことなく、湯張りのための操作で加湿空調も開始され、入浴前の操作の手間が軽減される。
【００１１】
また、浴室に隣接した第３室、例えば洗面脱衣所に暖房機等の他室空調装置が備えられている場合、加湿空調装置と他室空調装置で通信が行われ、給湯機操作部の操作で浴槽の湯張りが開始され、浴室の加湿空調が開始されると、洗面脱衣所の空調も開始されるようにしても良い。
【発明の効果】
【００１２】
本発明の加湿空調システムによれば、新たな操作部を追加することなく、空調装置が設置された場所に行かなくても所定の場所での操作で加湿空調運転を開始することができ、操作の手間が軽減される。
【発明を実施するための最良の形態】
【００１３】
以下、図面を参照して本発明の加湿空調システムの実施の形態について説明する。
【００１４】
＜本実施の形態の加湿空調システムの構成例＞
図１は、本実施の形態の加湿空調システムの一例を示す全体構成図である。本実施の形態の加湿空調システム１Ａは、第１室である浴室１００の加湿暖房を行う加湿暖房機２と、浴室１００に設置された浴槽１０１等に給湯を行う給湯機３と、第２室である台所１１０に設置され、給湯機３を運転するための操作、及び給湯機３と連動させて加湿暖房機２等を運転するための操作を受ける第１の給湯機操作部４ａと、第３室である洗面脱衣所１２０に設置され、加湿暖房機２を運転するための操作を受ける第１の加湿暖房機操作部５ａとを備える。
【００１５】
また、加湿空調システム１Ａは、浴室１００に設置され、給湯機３を運転するための操作、及び給湯機３と連動させて加湿暖房機２等を運転するための操作を受ける第２の給湯機操作部４ｂと、浴室１００に設置され、加湿暖房機２を運転するための操作を受ける第２の加湿暖房機操作部５ｂとを備える。
【００１６】
更に、加湿空調システム１Ａは、洗面脱衣所１２０の暖房を行う洗面所暖房機６と、洗面脱衣所１２０に設置され、洗面所暖房機６を運転するための操作を受ける洗面所暖房機操作部７とを備える。
【００１７】
加湿暖房機２は加湿空調装置の一例で、蒸気または霧等を吹き出して浴室１００の加湿を行う加湿装置２Ａと、温風を吹き出して浴室１００の暖房等を行う浴室空調装置２Ｂを備える。
【００１８】
図２は、加湿空調システム１Ａを構成する加湿装置の一例を示す構成図である。加湿装置２Ａは、蒸気Ｖを発生させる加湿部２０Ａと、加湿部２０Ａで発生させた蒸気Ｖを送風して吹き出させる送風ファン部２１とを備える。
【００１９】
加湿部２０Ａは蒸気加湿手段の一例で、水Ｗを貯める水槽２２Ａと、水槽２２Ａに貯められた水Ｗを加熱して蒸気Ｖを発生させるヒータ２３Ａと、送風ファン部２１で循環させる空気が通る風路を形成し、ヒータ２３Ａの動作で発生させた蒸気Ｖが送風される加湿風路２４とを備える。
【００２０】
水槽２２Ａは、加湿風路２４に面して上部に開口を有すると共に、内部にヒータ２３Ａを備え、ヒータ２３Ａが駆動されると、水槽２２Ａに貯められた水Ｗが加熱されて気化し、水槽２２Ａの上部の加湿風路２４に蒸気Ｖが拡散される。
【００２１】
送風ファン部２１は送風手段の一例で、ファンモータ２５ａに回転駆動される多翼のファン２５と、風路を形成するファンケース２６を備える。ファンケース２６は、ファン２５が回転駆動されると、ファン２５の軸方向に形成されたファン吸込口２６ａから空気を吸い込み、加湿風路２４に吹き出す風路を形成する。
【００２２】
加湿装置２Ａは、水槽２２Ａに給水を行う給水機構２２ｓと、水槽２２Ａの排水を行う排水機構２２ｅと、水槽２２Ａ内の水位を検知する水位センサ２２ｗを備える。
【００２３】
給水機構２２ｓは、図示しない上水管と給水配管２２ｓｐを介してつながる給水口２２ｓｗを水槽２２Ａの上部に備える。また、給水機構２２ｓは、電磁弁等で構成され、水槽２２Ａへの水（上水）ＳＷの供給の有無を切り換える給水バルブ２２ｓｂを給水配管２２ｓｐに備える。
【００２４】
これにより、給水機構２２ｓでは、給水バルブ２２ｓｂを開くと、給水口２２ｓｗから水ＳＷが水槽２２Ａに供給される。
【００２５】
排水機構２２ｅは、図示しない排水管と排水配管２２ｅｐを介してつながる排水口２２ｅｗを水槽２２Ａの底面に備える。また、排水機構２２ｅは、電磁弁等で構成され、排水ＥＷの排出の有無を切り換える排水バルブ２２ｅｂを排水配管２２ｅｐに備える。
【００２６】
これにより、排水機構１２ｅでは、排水バルブ２２ｅｂを閉じると、水槽２２Ａに水Ｗが貯められる。また、排水バルブ２２ｅｂを開くと、水槽２２Ａ内の水Ｗが排水され、水槽２２Ａを空にすることも可能である。
【００２７】
水位センサ２２ｗは、水槽２２Ａ内にフロートを備え、フロートの位置で水槽２２Ａの水位を検知する。
【００２８】
加湿装置２Ａは、水位センサ２２ｗで検知された水槽２２Ａの水位に応じて給水バルブ２２ｓｂを開閉することで、水槽２２Ａ内の水位が制御される。例えば、水位センサ２２ｗの出力から、水槽２２Ａ内の水位が所定量まで下がったことを検知すると、給水バルブ２２ｓｂを開いて水槽２２Ａに給水する。また、水位センサ２２ｗの出力から、水槽２２Ａ内の水位が所定量まで上がったことを検知すると、給水バルブ２２ｓｂを閉じる。
【００２９】
加湿装置２Ａは、下面にフロントパネル２７を備える。フロントパネル２７は、送風ファン部２１のファン吸込口２６ａとつながる吸込口グリル２７ａと、加湿風路２４とつながり加湿空気吹出口を構成する吹出口グリル２７ｂを備える。
【００３０】
なお、加湿装置としては、上述したように電気ヒータを備えた蒸気加湿方式以外に、水槽に貯めた水を超音波振動子で振動させて霧を発生させる超音波加湿方式でも良い。また、ミストノズルを備えて、霧状のミストを噴霧するミスト加湿方式でも良い。更に、蒸気加湿とミスト加湿を組み合わせた方式や、超音波加湿とミスト加湿を組み合わせた方式でも良い。
【００３１】
図１に戻り、浴室空調装置２Ｂは、図示しないファンやヒータ等を備え、浴室１００の空気ＲＡを吸い込んで循環させて、温風ＨＡ等を吹き出す機能と、浴室１００から吸い込んだ空気ＲＡを、屋外ダクト２８を介して屋外グリル２８ａから排気ＥＡとして屋外に排気する機能等を有する。なお、加湿暖房機では、加湿装置と浴室空調装置を一体に構成しても良い。
【００３２】
給湯機３は給湯装置の一例で、例えば自然冷媒（ＣＯ2）を利用したヒートポンプ方式の給湯装置である。なお、給湯機としては、電気温水機やガス給湯機、他の熱源を利用した給湯機でも良い。
【００３３】
洗面所暖房機６は他室空調装置の一例で、ファンやヒータ等を備え、洗面脱衣所１２０の空気を吸い込んで循環させて、温風等を吹き出す機能等を有する。
【００３４】
図３は、給湯機操作部の一例を示す構成図である。第１の給湯機操作部４ａ及び第２の給湯機操作部４ｂは、湯張りボタン４０と、加湿暖房連動湯張りボタン４１と、設定ボタン４２と、表示部４３等を備える。
【００３５】
湯張りボタン４０は、図１に示す浴室１００の浴槽１０１に湯を貯める操作で使用される。また、加湿暖房連動湯張りボタン４１は、浴槽１０１に湯を貯めると共に、湯を貯めている間に浴室１００の加湿暖房を連動させる操作で使用される。なお、加湿暖房連動湯張りボタン４１は、浴槽１０１に湯を貯めている間に、洗面脱衣所１２０の予備暖房を連動させる操作でも使用される。
【００３６】
更に、設定ボタン４２は、給湯温度等を変更する操作で使用され、表示部４３は、給湯温度等が表示される。
【００３７】
＜本実施の形態の加湿空調システムの動作例＞
図４は、本実施の形態の加湿空調システムの動作の一例を示すフローチャートで、次に、加湿空調システム１Ａで実行される湯張りと連動させた加湿暖房等の動作について、各図を参照して説明する。
【００３８】
加湿空調システム１Ａは、台所１１０に設置された第１の給湯機操作部４ａの加湿暖房連動湯張りボタン４１が押されると（ステップＳＡ１）、給湯機３では、図示しないバルブが開かれ、浴室１００の浴槽１０１に湯が供給されて、浴槽１０１に湯が貯められる（ステップＳＡ２）。
【００３９】
上述したステップＳＡ２で給湯機３により浴槽１０１の湯張りが開始されると、浴槽１０１内の水面が上昇して、湯量が入浴に適した状態になったか、図示しない圧力センサで検知された浴槽１０１内の水圧、湯量、または、湯張りを開始してからの時間等に応じて判断される（ステップＳＡ３）。
【００４０】
上述したステップＳＡ３で浴槽１０１内の湯量が入浴に適した所定量になったと判断されると、給湯機３では、図示しないバルブが閉じられ、浴槽１０１への給湯が停止される（ステップＳＡ４）。
【００４１】
加湿空調システム１Ａは、上述したステップＳＡ１で第１の給湯機操作部４ａの加湿暖房連動湯張りボタン４１が押されると、湯張りと浴室１００の加湿暖房を連動させるため、加湿暖房機２では、予め設定された浴室暖房連動遅延時間が経過したか判断される（ステップＳＡ５）。
【００４２】
ここで、後述する加湿暖房運転では、浴室１００内を所望の温度及び湿度にして、ミスト浴に適した状態にする。そこで、浴槽１０１の湯張りと浴室１００の加湿暖房を連動させる場合、湯張り終了時にミスト浴に適した状態で加湿暖房運転が継続しているようにするため、湯張りに要する時間と加湿暖房に要する時間との差に応じて、浴室暖房連動遅延時間が設定される。
【００４３】
例えば、浴室１００の大きさと加湿暖房に要する時間の関係が特定されたテーブル、及び浴槽１０１の大きさと湯張りに要する時間の関係が特定されたテーブルが記憶され、第１の給湯機操作部４ａの設定ボタン４２の操作等で、浴室１００及び浴槽１０１の大きさを入力することで、浴室暖房連動遅延時間を選択できるようにしても良い。
【００４４】
これにより、加湿空調システム１Ａの設置時等に、施工者またはユーザが、浴室１００及び浴槽１０１の大きさに応じて、浴室暖房連動遅延時間を予め設定することができる。
【００４５】
更に、浴槽１０１の清掃後に、ユーザが浴室１００に設置された第２の給湯機操作部４ｂを操作して湯張りを開始する場合もある。このため、第２の給湯機操作部４ｂにも加湿暖房連動湯張りボタン４１を備えることで、浴室１００内で１つの操作部での操作で湯張りと加湿暖房の連動が可能となる。
【００４６】
但し、浴室１００での操作時に湯張りと同時に加湿暖房が開始されると、着衣状態のユーザが蒸気等で濡れる可能性がある。そこで、第２の給湯機操作部４ｂで操作された場合は、所望の遅延時間を設定して、加湿暖房が同時に開始しないようにする。
【００４７】
上述したステップＳＡ５で浴室暖房連動遅延時間が経過したと判断されると、加湿暖房機２では、浴室空調装置２Ｂでの温風の吹き出しと、加湿装置２Ａでの蒸気の吹き出しを連動させて浴室１００の加湿暖房を行う加湿暖房運転モードが実行される（ステップＳＡ６）。
【００４８】
本例では、まず、浴室空調装置２Ｂで図示しないファンとヒータが駆動され、循環風により温風ＨＡが吹き出されて浴室１００の暖房運転が行われる。浴室空調装置２Ｂで暖房運転が行われ、図示しない温度センサで検知された浴室１００の温度が所定温度に達したと判断された場合、または、暖房運転を開始してから所定時間が経過したと判断された場合等、浴室１００の状態が加湿に適した状態となったと判断されると、浴室空調装置２Ｂの暖房運転が停止される。
【００４９】
浴室空調装置２Ｂの暖房運転が停止されると、加湿装置２Ａで図２に示す加湿部２０Ａのヒータ２３Ａが駆動されると共に、送風ファン部２１のファンモータ２５ａが駆動される。加湿装置２Ａでは、ヒータ２３Ａが駆動されると、水槽２２Ａに貯められた水Ｗが加熱されて蒸気Ｖが発生し、水槽２２Ａの上部の加湿風路２４へ拡散される。
【００５０】
また、加湿装置２Ａでは、ファンモータ２５ａが駆動されると、ファン２５が回転することで、フロントパネル２７の吸込口グリル２７ａからファン吸込口２６ａに空気ＲＡが吸い込まれる。
【００５１】
送風ファン部２１でファン吸込口２６ａから吸い込まれた空気は加湿風路２４に吹き出され、水槽２２Ａに貯められた水Ｗがヒータ２３Ａで加熱されることで発生した蒸気Ｖが送風されて、フロントパネル２７の吹出口グリル２７ｂから蒸気Ｖ及び蒸気Ｖで加湿された空気が吹き出される。
【００５２】
このように加湿暖房機２で加湿暖房運転モードが実行されることで、浴室１００内は温度及び湿度が上昇し、ミスト浴に適した状態となる。そして、加湿装置２Ａと浴室空調装置２Ｂでヒータが同時に駆動されないように制御を行うことで、消費電力を抑えることができる。
【００５３】
なお、超音波加湿方式を利用した加湿装置を備える構成では、加湿暖房運転モードが実行されると、浴室空調装置による温風の吹き出しと、加湿装置による霧の吹き出しが同時に行われるように制御される。
【００５４】
上述したステップＳＡ６で加湿暖房機２により浴室１００の加湿暖房運転が開始されると、浴室１００の温度及び湿度が上昇して、浴室１００内がミスト浴に適した状態になったか、図示しない温度センサで検知された浴室１００の温度、湿度センサで検知された浴室１００の湿度、または、加湿暖房運転を開始してからの時間等に応じて判断される（ステップＳＡ７）。
【００５５】
上述したステップＳＡ７で浴室１００内がミスト浴に適した状態になったと判断されると、加湿暖房機２では、加湿暖房運転を継続する。例えば、浴室１００内の温度及び湿度が所定値に保たれるように、加湿装置２Ａの間欠運転、及び浴室空調装置２Ｂの間欠運転等が行われる（ステップＳＡ８）。
【００５６】
加湿空調システム１Ａは、上述したステップＳＡ１で第１の給湯機操作部４ａの加湿暖房連動湯張りボタン４１が押されると、湯張りと洗面脱衣所１２０の暖房（予備暖房）を連動させるため、洗面所暖房機６では、予め設定された洗面所暖房連動遅延時間が経過したか判断される（ステップＳＡ９）。
【００５７】
洗面所暖房連動遅延時間は、湯張り終了時に洗面脱衣所１２０の温度が所定の温度になっているようにするため、湯張りに要する時間と洗面脱衣所１２０の予備暖房に要する時間との差に応じて設定される。
【００５８】
例えば、洗面脱衣所１２０の大きさと暖房に要する時間の関係が特定されたテーブル、及び浴槽１０１の大きさと湯張りに要する時間の関係が特定されたテーブルが記憶され、洗面脱衣所１２０及び浴槽１０１の大きさを入力することで、洗面所暖房連動遅延時間を選択できるようにしても良い。
【００５９】
これにより、加湿空調システム１Ａの設置時等に、施工者またはユーザが、洗面脱衣所１２０及び浴槽１０１の大きさに応じて、洗面脱衣所暖房連動遅延時間を予め設定することができる。
【００６０】
上述したステップＳＡ９で洗面所暖房連動遅延時間が経過したと判断されると、洗面所暖房機６では、図示しないファンとヒータが駆動され、循環風により温風が吹き出されて洗面脱衣所１２０の暖房運転が行われる（ステップＳＡ１０）。
【００６１】
上述したステップＳＡ１０で洗面所暖房機６による洗面脱衣所１２０の暖房運転が開始されると、洗面脱衣所１２０の温度が上昇し、洗面脱衣所１２０内が入室に適した状態になったか、図示しない温度センサで検知された洗面脱衣所１２０の温度、または、暖房運転を開始してからの時間等に応じて判断される（ステップＳＡ１１）。
【００６２】
上述したステップＳＡ１１で洗面脱衣所１２０内が入室に適した状態になったと判断されると、洗面所暖房機６では、暖房運転を継続する。また、洗面脱衣所１２０の温度上昇を抑えるため、洗面所暖房機６が間欠運転されるようにしても良い（ステップＳＡ１２）。更に、暖房運転を停止しても良い。
【００６３】
上述したステップＳＡ３で浴槽１０１内の湯量が入浴に適した所定量になったと判断され、上述したステップＳＡ７で浴室１００内がミスト浴に適した状態になったと判断され、上述したステップＳＡ１１で洗面脱衣所１２０内が入室に適した状態になったと判断されると、第１の給湯機操作部４ａの図示しないブザーで音を出力する等によって、入浴準備が完了したことを通知する（ステップＳＡ１３）。
【００６４】
図５は、本実施の形態の加湿空調システムの動作の他の例を示すフローチャートで、次に、加湿空調システム１Ａで実行される湯張りと連動させた加湿暖房等の他の動作例について、各図を参照して説明する。
【００６５】
加湿空調システム１Ａは、台所１１０に設置された第１の給湯機操作部４ａの加湿暖房連動湯張りボタン４１が押されると（ステップＳＢ１）、浴室１００の浴槽１０１の湯張りに要する時間Ｔ１が計算されると共に（ステップＳＢ２）、給湯機３では、図示しないバルブが開かれ、浴室１００の浴槽１０１に湯が供給されて、浴槽１０１に湯が貯められる（ステップＳＢ３）。
【００６６】
上述したステップＳＢ３で給湯機３により浴槽１０１の湯張りが開始されると、浴槽１０１内の水面が上昇して、湯量が入浴に適した状態になったか、図示しない圧力センサで検知された浴槽１０１内の水圧、湯量、または、湯張りを開始してからの時間等に応じて判断される（ステップＳＢ４）。
【００６７】
上述したステップＳＢ４で浴槽１０１内の湯量が入浴に適した所定量になったと判断されると、給湯機３では、図示しないバルブが閉じられ、浴槽１０１への給湯が停止される（ステップＳＢ５）。
【００６８】
加湿空調システム１Ａは、上述したステップＳＢ１で第１の給湯機操作部４ａの加湿暖房連動湯張りボタン４１が押されると、加湿暖房機２では、例えば浴室空調装置２Ｂに備えた図示しない温度センサで浴室１００の温度が検知され、浴室１００の温度と加湿暖房に要する時間の関係が特定されたテーブルを参照して、加湿暖房に要する時間Ｔ２が計算される（ステップＳＢ６）。
【００６９】
加湿空調システム１Ａは、浴槽１０１の湯張りに要する時間Ｔ１と、浴室１００の温度に応じた加湿暖房に要する時間Ｔ２から、浴室暖房連動遅延時間を設定するかどうか判断する（ステップＳＢ７）。すなわち、湯張りに要する時間Ｔ１が加湿暖房に要する時間Ｔ２より長い場合は、（Ｔ１−Ｔ２）が浴室暖房連動遅延時間として設定される（ステップＳＢ８）。
【００７０】
加湿空調システム１Ａは、上述したステップＳＢ３で湯張りを開始してから、上述したステップＳＢ８で浴室暖房連動遅延時間（Ｔ１−Ｔ２）が経過すると、加湿暖房機２では、浴室空調装置２Ｂでの温風の吹き出しと、加湿装置２Ａでの蒸気の吹き出しを連動させて浴室１００の加湿暖房を行う加湿暖房運転モードが実行される（ステップＳＢ９）。また、加湿空調システム１Ａは、上述したステップＳＢ７で、湯張りに要する時間Ｔ１が加湿暖房に要する時間Ｔ２と同等の場合、上述したステップＳＢ３の湯張りの開始と同時に、加湿暖房運転モードが実行される。
【００７１】
本例では、まず、浴室空調装置２Ｂで図示しないファンとヒータが駆動され、循環風により温風ＨＡが吹き出されて浴室１００の暖房運転が行われる。浴室空調装置２Ｂで暖房運転が行われ、図示しない温度センサで検知された浴室１００の温度が所定温度に達したと判断された場合、または、暖房運転を開始してから所定時間が経過したと判断された場合等、浴室１００の状態が加湿に適した状態となったと判断されると、浴室空調装置２Ｂの暖房運転が停止される。
【００７２】
浴室空調装置２Ｂの暖房運転が停止されると、加湿装置２Ａで図２に示す加湿部２０Ａのヒータ２３Ａが駆動されると共に、送風ファン部２１のファンモータ２５ａが駆動される。加湿装置２Ａでは、ヒータ２３Ａが駆動されると、水槽２２Ａに貯められた水Ｗが加熱されて蒸気Ｖが発生し、水槽２２Ａの上部の加湿風路２４へ拡散される。
【００７３】
また、加湿装置２Ａでは、ファンモータ２５ａが駆動されると、ファン２５が回転することで、フロントパネル２７の吸込口グリル２７ａからファン吸込口２６ａに空気ＲＡが吸い込まれる。
【００７４】
送風ファン部２１でファン吸込口２６ａから吸い込まれた空気は加湿風路２４に吹き出され、水槽２２Ａに貯められた水Ｗがヒータ２３Ａで加熱されることで発生した蒸気Ｖが送風されて、フロントパネル２７の吹出口グリル２７ｂから蒸気Ｖ及び蒸気Ｖで加湿された空気が吹き出される。
【００７５】
このように加湿暖房機２で加湿暖房運転モードが実行されることで、浴室１００内は温度及び湿度が上昇し、ミスト浴に適した状態となる。そして、加湿装置２Ａと浴室空調装置２Ｂでヒータが同時に駆動されないように制御を行うことで、消費電力を抑えることができる。
【００７６】
なお、超音波加湿方式を利用した加湿装置を備える構成では、加湿暖房運転モードが実行されると、浴室空調装置による温風の吹き出しと、加湿装置による霧の吹き出しが同時に行われるように制御される。
【００７７】
上述したステップＳＢ９で加湿暖房機２により浴室１００の加湿暖房運転が開始されると、浴室１００の温度及び湿度が上昇して、浴室１００内がミスト浴に適した状態になったか、図示しない温度センサで検知された浴室１００の温度、湿度センサで検知された浴室１００の湿度、または、加湿暖房運転を開始してからの時間等に応じて判断される（ステップＳＢ１０）。
【００７８】
上述したステップＳＢ１０で浴室１００内がミスト浴に適した状態になったと判断されると、加湿暖房機２では、加湿暖房運転を継続する。例えば、浴室１００内の温度及び湿度が所定値に保たれるように、加湿装置２Ａの間欠運転、及び浴室空調装置２Ｂの間欠運転等が行われる（ステップＳＢ１１）。
【００７９】
加湿空調システム１Ａは、上述したステップＳＢ１で第１の給湯機操作部４ａの加湿暖房連動湯張りボタン４１が押されると、例えば洗面所暖房機６に備えた図示しない温度センサで洗面脱衣所１２０の温度が検知され、洗面脱衣所１２０の温度と暖房に要する時間の関係が特定されたテーブルを参照して、暖房に要する時間Ｔ３が計算される（ステップＳＢ１２）。
【００８０】
加湿空調システム１Ａは、浴槽１０１の湯張りに要する時間Ｔ１と、洗面脱衣所１２０の温度に応じた暖房に要する時間Ｔ３から、洗面所暖房連動遅延時間を設定するかどうか判断する（ステップＳＢ１３）。すなわち、湯張りに要する時間Ｔ１が暖房に要する時間Ｔ３より長い場合は、（Ｔ１−Ｔ３）が洗面所暖房連動遅延時間として設定される（ステップＳＢ１４）。
【００８１】
加湿空調システム１Ａは、上述したステップＳＢ３で湯張りを開始してから、上述したステップＳＢ１４で洗面所暖房連動遅延時間（Ｔ１−Ｔ３）が経過すると、洗面所暖房機６では、図示しないファンとヒータが駆動され、循環風により温風が吹き出されて洗面脱衣所１２０の暖房運転が行われる（ステップＳＢ１５）。また、加湿空調システム１Ａは、上述したステップＳＢ１３で、湯張りに要する時間Ｔ１が暖房に要する時間Ｔ３と同等の場合、上述したステップＳＢ３の湯張りの開始と同時に、洗面脱衣所１２０の暖房運転が実行される。
【００８２】
上述したステップＳＢ１５で洗面所暖房機６による洗面脱衣所１２０の暖房運転が開始されると、洗面脱衣所１２０の温度が上昇し、洗面脱衣所１２０内が入室に適した状態になったか、図示しない温度センサで検知された洗面脱衣所１２０の温度、または、暖房運転を開始してからの時間等に応じて判断される（ステップＳＢ１６）。
【００８３】
上述したステップＳＢ１６で洗面脱衣所１２０内が入室に適した状態になったと判断されると、洗面所暖房機６では、暖房運転を継続する。また、洗面脱衣所１２０の温度上昇を抑えるため、洗面所暖房機６が間欠運転されるようにしても良い（ステップＳＢ１７）。更に、暖房運転を停止しても良い。
【００８４】
上述したステップＳＢ４で浴槽１０１内の湯量が入浴に適した所定量になったと判断され、上述したステップＳＢ１０で浴室１００内がミスト浴に適した状態になったと判断され、上述したステップＳＢ１６で洗面脱衣所１２０内が入室に適した状態になったと判断されると、第１の給湯機操作部４ａの図示しないブザーで音を出力する等によって、入浴準備が完了したことを通知する（ステップＳＢ１８）。
【００８５】
上述した各動作例では、浴槽１０１の湯張り完了時間と、浴室１００の加湿暖房等の予熱が完了する時間が合わせられ、湯張り完了前に加湿暖房等の予熱が完了して湯張り中に暖房運転が継続することによる無駄を省き、省エネルギー化を図ることができる。
【００８６】
＜本実施の形態の加湿空調システムの他の動作例＞
ここで、上述した例では、浴槽１０１の湯張りに、浴室１００の加湿暖房と洗面脱衣所１２０の予備暖房を連動させたが、洗面所暖房機６が備えられていない構成等では、浴槽１０１の湯張りと浴室１００の加湿暖房を連動させるようにしても良い。
【００８７】
また、第１の給湯機操作部４ａと第２の給湯機操作部４ｂは湯張りボタン４０が備えられており、加湿空調システム１Ａでは、湯張りボタン４０が操作されると、加湿暖房等は連動させずに、浴槽１０１の湯張りのみが実行される。なお、これら給湯機操作部では、湯張りボタンと、加湿暖房等の連動の有無を切り換えるボタンを備えても良い。
【００８８】
更に、加湿空調システム１Ａでは、洗面脱衣所１２０に設置された第１の加湿暖房機操作部５ａの所定の操作で、加湿装置２Ａによる蒸気の吹き出しと浴室空調装置２Ｂによる暖房運転とを連動させて、浴室１００の加湿暖房を行う加湿暖房運転モードが実行される。
【００８９】
また、浴室空調装置２Ｂ単体では、浴室空調装置２Ｂで循環風により温風を吹き出して、浴室１００の暖房を行う暖房運転モードが実行される。また、浴室空調装置２Ｂで浴室１００内の空気を屋外に排出して、浴室１００の換気を行う換気運転モード、及び、所定時間で図示しない建物の空気が入れ替えられる風量で換気を行う２４時間換気運転モードが実行される。
【００９０】
更に、浴室空調装置２Ｂで循環風により温風を吹き出しながら、浴室１００内の空気を屋外に排出して、浴室１００に干された衣類等の乾燥を行う乾燥運転モードと、浴室空調装置２Ｂで循環風により送風を吹き出す涼風運転モードが実行される。
【００９１】
なお、浴室１００に設置された第２の加湿暖房機操作部５ｂでも、同様の運転モードが選択できるようにしても良いし、入浴中に実行される一部の運転モード、例えば、加湿暖房運転モードと暖房運転モードが選択できるようにしても良い。
【００９２】
また、加湿空調システム１Ａでは、洗面脱衣所１２０に設置された洗面所暖房機操作部７の所定の操作で、洗面所暖房機６による洗面脱衣所１２０の暖房を行う洗面所暖房運転モードが実行される。
【産業上の利用可能性】
【００９３】
本発明は、浴槽の湯張りを自動的に行う給湯機を有した浴室の加湿空調システムに適用される。
【図面の簡単な説明】
【００９４】
【図１】本実施の形態の加湿空調システムの一例を示す全体構成図である。
【図２】加湿空調システムを構成する加湿装置の一例を示す構成図である。
【図３】給湯機操作部の一例を示す構成図である。
【図４】本実施の形態の加湿空調システムの動作の一例を示すフローチャートである。
【図５】本実施の形態の加湿空調システムの動作の他の例を示すフローチャートである。
【符号の説明】
【００９５】
１Ａ・・・加湿空調システム、２・・・加湿暖房機、２Ａ・・・加湿装置、２Ｂ・・・浴室空調装置、３・・・給湯機、４ａ・・・第１の給湯機操作部、４ｂ・・・第２の給湯機操作部、５ａ・・・第１の加湿暖房機操作部、５ｂ・・・第２の加湿暖房機操作部、６・・・洗面所暖房機、７・・・洗面所暖房機操作部、１００・・・浴室、１０１・・・浴槽、１１０・・・台所、１２０・・・洗面脱衣所
【図１】
2008224160.tif 000003
【図２】
2008224160.tif 000004
【図３】
2008224160.tif 000005
【図４】
2008224160.tif 000006
【図５】
2008224160.tif 000007